(57)【要約】      （修正有）【課題】飲料用のペットボトルを改良した水道水保存容器を提供する。【解決手段】ペットボトルの底部を円形に切り抜き、切り抜いた部分に、セラミックスをネジで固定し、水が漏れないように接合材で復元する。【選択図】図４
0003167463.tif 000002
【実用新案登録請求の範囲】
【請求項１】
以下の改良を整えたことを特徴とするペットボトル、スプレー容器の改良
（イ）ペットボトルは飲料水の保存容器が目的である、形等は好みに合う物を選び、体積に比例したセラミックスの枚数を底部にネジ類、接合剤等で固定する。
（ロ）セラミックの形は、平円形凹凸なセラミックスを作る形は自由に加工する。
（ハ）ペットボトルは、底部が高くセラミックスとの間を水の流通が良い特徴の応用。円形、角型、耐熱、耐圧、の品全て本考案で改良ができる。
（ニ）容器の底部にセラミックスを取り付けた一式を元のペットボトルの機能に復元する為に接合剤で固定する、その跡が付かないためにラベルを貼り綺麗な容器の底部となる、また鮮やかな色付きペットボトル溶液を容器の外側に付着させて綺麗な製品化にすることができる考案改良である。
【請求項２】
前記の改良を整えたことを特徴とする、角型ペットボトルは横面を切断し切断された容器の底部にセラミックスを前記と同じ方法で固定し、固定された一式を、ペットボトル機能を復元するために、横面線に沿い接合剤で固定する最大の特徴である、請求項１記載のペットボトル及びスプレー容器の改良。
【請求項３】
前記に示した改良を整えた、ペットボトルの中にセラミックスを入れる最大の目的は
（イ）ペットボトルは飲料水容器とし安全性が保たれている、その容器の活用である。
（ロ）現在の社会では健康維持のために、水を飲む、水問題が盛んである、水道局より配布される水をもっと飲みやすくする手段のペットボトル改良である、其の中に入っているセラミックスよりミネラルの溶出量等、公的機関に検査を依頼し、表示法に準ずる、請求項１記載のペットボトル及びスプレー容器の改良。
【請求項４】
前記の改良を整えることを、特徴とする以下のスプレー容器改良が必要とされる
（イ）スプレー容器も形、機能、種類が多く製品化されている、其の容器の底部を円形セラミックスにあわせて切り抜き、前記と同じくセラミックスと容器を固定する。
（ロ）スプレー容器の種類によれば、容器の底部分を切り取り、其の切り取り容器の下横部にセラミックスをネジ、接合剤で動かないように固定する。
（ハ）固定された一式を元のスプレー容器に復元するために接合剤で固定する請求項１記載のペットボトル及びスプレー容器の改良。
【請求項５】
前記の改良を整えたスプレー容器の目的を達成する、以下の方法が重視される
（イ）スプレー容器は、消毒機能を持つセラミックスを容器の中に固定し、その中に水を入れスプレー噴霧で消毒する、その実態は以下の検査方法が必見重要視される。
（ロ）公的機関でスプレー消毒水、特にウイルス菌、感染型菌、毒素型菌死滅状況
（ハ）使い道はスプレー容器に水を入れるだけで其の水が消毒機能を発する、その能力は公的機関の検査により表示法に準ずる請求項１記載のペットボトル及びスプレー容器の改良。
【考案の詳細な説明】
【考案の詳細な説明】
【技術分野】
【０００１】本考案は、飲料用のペットボトルや人体に有害の無いスプレー容器を各々改良する物である。
【背景技術】
【０００２】ペットボトル容器は、新品、本体、円形、角型、現在市販されている、水、お茶、また、耐熱、耐圧の容器より選び本考案の必要に応じ一部改良を目的とする。【０００３】また、スプレー容器はスプレーを目的とした容器で現在市販されている、種々の新品容器の一部を改良し、スプレー機能を活かすことが目的である。
【考案の開示】
【考案が解決しようとする課題】
【０００４】本考案は、新品ペットボトルの一部改良し容器内に機能セラミックスを固定することにより水道局の水をペットボトルに何回も汲み込み安全な水として使用することが課題である。【０００５】スプレー具の一部改良し容器の中に消毒機能を持つセラミックスを固定し、其の中に水道水を汲み込み噴霧スプレーが消毒機能を有することを課題とする。
【課題を解決するための手段】
【０００６】前記課題を解決するため、本考案に係るペットボトル機能の要件を整えることを特徴とする。
（イ）ペットボトルは形は特有な形で容器の底部が高く凹凸セラミックス、メタルは自然と水の流れが良く最高の条件に整っている。
（ロ）ペットボトル改良の作業は、図１に示すようにペットボトルの下部を切り抜きそこに機能を持たせたセラミックスをいれて使用中に動かないように固定する。【０００７】また、スプレー容器は形や機能の種類が多いので其の中より、改良作業のしやすい物を選ぶ。
（イ）スプレー容器の改良は、図２、に示すように本考案目的を達成するために、容器の下部分を切り抜き其の中に消毒機能を持つセラミックスを入れて、使用中に動かないよう固定する。
（ロ）そして、図３に示すように、長方形の容器は、容器の底からセラミックスが入らないために容器の下横を切り抜き機能セラミックスを入れて、改良することも出来る。
（ハ）また、ペットボトル、スプレー容器は、本目的合う製造会社より仕入れ協力が望ましい。
【考案の効果】
【０００８】請求項１記載に係る考案によれば、ペットボトル、及びスプレー容器の改良とする。
（イ）ペットボトル底部に円形セラミックスを固定することが目的とする。
（ロ）そして、ペットボトル容積によりセラミックスの混入枚数を決定し更にセラミックスが容器内で動かないためにネジで締め付けて固定する。
（ハ）前記に順次しペットボトル機能を元に復元するために接合し固定化を計る。
（ニ）今回改良のペットボトルは、主に水道水の汲み溜めようを目的する改良である。
（ホ）最終仕上げは容器改良した部分を綺麗にするためにラベルを貼る方法と容器の底部の外側にボトル溶液を綺麗な色づき溶剤にして載り製品化にする。【０００９】請求項２記載に係る考案によれば、ペットボトルの種類によると横面を切断することが容易の場合は、横面を切断し元のペットボトルの機能に復元するために接合剤で固定する。【００１０】請求項３記載に係る考案によれば、前記の改良を整えたペットボトルの中セラミックスを混入する最大の目的は。
（イ）ペットボトル容器は飲料水用で安全が保たれている、その容器の活用である。
（ロ）現在社会では健康維持のため水を飲むことが重要視される。そこで本考案は水道局より配布されている、その水をもっと効率よく飲むためにセラミックスの混入し固定化が必要である。
（ハ）そこで水道水の中に鉱物ミネラルの溶出量など公的機関の検査表示が重要視される。【００１１】請求項４記載に係る考案に選る、前記の改良を整えた、スプレー容器を活用する。
（イ）スプレー容器も前記と同じく、形、機能、種類が多く製品化されている、その中でスプレー機能を重点に選び本考案改良をする。【００１２】請求項５記載に係る考案に選り、前記改良を整えた、スプレー容器の中に消毒機能を有するセラミックスを固定してその機能を発揮させる。
（イ）消毒機能は公的機関の検査による物である。特にウイルス菌、感染型菌、毒素型菌の死滅状況が必要とされる。
【考案を実施するための最良の形態】
【００１３】考案を実施する為にペットボトルを用いた、其の理由はペットボトルは飲料水の保存に多く使われている、また、容器の安全性も保たれている、此の条件の下に活用したものである。
（イ）そして、容器としても安価で消費者に届けることが出来る。
（ロ）また、水道局より配布された水を消費者が喜んで飲用することを目的とした。
（ハ）スプレー容器も同じく安価で入手できること、安全な消毒噴霧が行われる。
【実施例１】
【図面の簡単な説明】
【００１４】［図１］の１は、蓋、ペットボトルの蓋で専用の蓋を取り付けること。
［図３］の１、［図５］の１、［図７］の１も同じ方法で新品の蓋を取り付けること。【００１５】［図１］の３は、円形セラミックス、今回は円形を主体にしている、しかし、形はセラミックス特有の自由の形が出来る。同じく［図３］の４、［図７］の３も同じ方法のセラミックスである。【００１６】［図１］の２は、ペットボトル容器で安全性は、飲料水専用容器でそれを本考案が活用［図１］の２は、ペットボトル容器で安全性は、飲料水専用容器でそれを本考案が活用した。同じく［図３］の２、［図５］の２、［図７］の２、も同じく容器目指している。【００１７】［図１］の４は、切り抜きは角型に底部切り抜く、後は接合剤で固定する為に綺麗に切り抜くこと。同じく、［図］の３、［図５］の３同じことである。【００１８】［図１］の５は、容器の底部を角型に切り抜き容器の周囲を、接合剤で固定し元のペットボトルの機能に復元させる。同じく、［図３］の５、［図５］の４、も同じ作業である。【００１９】［図２］の、１は機能セラミックスを切り抜き容器底部に固定する。【００２０】［図２］１は、機能セラミックスで接合剤で固定する、［図４］の１、［図６］の１、［図８］の２、も同じ方法で固定する。【００２１】［図２］の２は、切り抜いた容器、［図４］の２、［図６］の２、［図８］の１、も同じ物である。【００２２】［図２］の３は、切り抜き容器で接合剤で固定する場所、［図４］の３、［図６］の３、［図８］の３、同じ方法で固定する。
【図面の簡単な説明】
【００２３】［図９］の１は、消毒作用がある、噴霧水、［図１１］の１も同じ噴霧水である。【００２４】［図９］の２は、スプレー噴霧水を送りだすコック、［図１１］の２も同じものである。【００２５】［図９］の３は、コックを閉めるネジ、［図１１］の３も同じ物である。【００２６】［図９］の４は、噴射に汲み上げるノズル、［図１１］の４も同じ作用の物である。【００２７】［図９］の５は、容器に水を汲む箇所で清潔観が必要、［図１１］の５も同じ作用である。【００２８】［図９］の６は、容器の底部に消毒機能セラミックスをネジ、接合剤で固定する。【００２９】［図１１］の６は、消毒機能を持つセラミックスを容器の横部に固定する。【００３０】［図１０］の１は、機能セラミックスで切り抜き下部に接合剤で固定する。【００３１】［図１０］の２は、スプレー容器の下部を長方形に抜いた底部である。【００３２】［図１０］の３は、スプレー容器の円形型に沿って切り抜きぬき接合剤で固定する。【００３３】［図１２］の１は、容器の下部分を線に沿って切り抜いたものである。【００３４】［図１２］の２は、切り開いた下部分の図である。【００３５】［図１２］の３は、機能セラミックスを横に固定したものである。
【図面の簡単な説明】
【００３６】
【図１】角型ペットボトルのセラミックス入りの全体図。
【図２】角方ペツトボトルの底部の図。
【図３】角方ペツトボトルの横切断セラミックス入りの図。
【図４】角方ペットボトルの横切断の切断部分の図。
【図５】丸型ペットボトルの切断上の部分の図。
【図６】丸型ペットボトルの切断下の部分の図。
【図７】丸型ペットボトルの出来上がりの図。
【図８】丸型ペツトボトルの底を切抜きした部分の図。
【図９】［図面の説明部］スプレー容器出来上がり全体の図。
【図１０】長方形の容器にセラミックスを固定した図。
【図１１】円形の長方形で横部にセラミックスを固定した図。
【図１２】円形の長方形で底切り取り横部にセラミックスを固定した図。
【産業上の利用可能性】
【００３７】今回の考案の目的は現在国民が健康維持のため水を飲むことが進められている、其の中でスーパーなどでも水入りペツトボトルが山の如く積まれている、又人に寄れば国外より仕入れる人も有り、案外水道局より配布された水は飲まない。
そこで、今回の考案は水道局の水を美味しく飲みやすくする為の手段として、ペットボトルと水道水の安全性の活用により其の中にセラミックスを固定したペットボトルの改良である。
【図１】
0003167463.tif 000003
【図２】
0003167463.tif 000004
【図３】
0003167463.tif 000005
【図４】
0003167463.tif 000006
【図５】
0003167463.tif 000007
【図６】
0003167463.tif 000008
【図７】
0003167463.tif 000009
【図８】
0003167463.tif 000010
【図９】
0003167463.tif 000011
【図１０】
0003167463.tif 000012
【図１１】
0003167463.tif 000013
【図１２】
0003167463.tif 000014
【手続補正書】
【提出日】平成23年1月24日(2011.1.24)
【手続補正１】
【補正対象書類名】実用新案登録請求の範囲
【補正対象項目名】全文
【補正方法】変更
【補正の内容】
【実用新案登録請求の範囲】
【請求項１】
飲料用の新品ペットボトルの底部をセラミックスが搬入出来る円形に切り抜き、水道水保存容器を作ることを特徴とする、新品ペットボトル改良の水道水保存容器。
【請求項２】
新品ペットボトル底部を切抜いた部分に、セラミックスをネジで固定し水が漏れないように接合材で復元することを特徴とする、請求項１記載の新品ペットボトル改良の水道水保存容器。
【手続補正２】
【補正対象書類名】明細書
【補正対象項目名】全文
【補正方法】変更
【補正の内容】
【考案の詳細な説明】
【技術分野】
【０００１】  本考案は、飲料用の新品ペットボトルを改良し水道水の保存容器に作成する物である。
【背景技術】
【０００２】  ペットボトル容器は、新品、現在市販されている、水、お茶、また耐熱、耐圧の容器より選び本考案の必要に応じ一部の改良を目的とする。
【考案の開示】
【考案が解決しようとする課題】
【０００３】  本考案は、新品ペットボトルの一部改良し容器内にセラミックスを固定することにより水道局より配布された水をペットボトルに何回も汲み込み安全な水にして利用することを課題とする。
【課題を解決するための手段】
【０００４】  前記課題を解決するため、本考案に係るペットボトル機能の要件を整えることを特徴とする。【０００５】  ペットボトルは特有な形で容器の底部が高く凹凸セラミックス、メタルは自然と水の流れが良く最高の条件に整っている。【０００６】  ペットボトル改良の作業は、ペットボトルの底部を円形に切り抜き其処にセラミックスを入れて使用中に動かないように固定する。【０００７】  新品ペットボトルは種類が多く出回っている、その中で１年位使用可能な製品を作る為に、強度のボトル容器を選ぶことが望ましい。
【考案の効果】
【０００８】  請求項１記載に係る考案によれば、新品ペットボトル容器の改良はペットボトルの底部をセラミックスメタル、セラミックス粒状が搬入出来る円形に切り抜きペットボトル容器内に収めて固定する。【０００９】  今回の改良のペットボトルは、主に水道水の汲み溜め容器を目的とする改良である、【００１０】  請求項２記載のセラミックス混入の最大の目的は、現在社会では健康維持の為に水を飲むことが重要視される、本考案は水道局で製造される水は綺麗である、しかし、配布される途中で水が不味くなる。【００１１】  そこで、セラミックス混入により水道水の中に微量な鉱物ミネラルが溶質し其の力により安全で美味しい水を作り出すことが出来る。【００１２】  前記の設置通り新品ペットボトルの中でセラミックスが使用中に動かない要に収め尚、機能に支障がないように安全な接合剤を吟味して水が漏れないように固定する。
【考案を実施する為の最良の形態】
【００１３】    考案を実施する為に新品ペットボトルを用いた、其の理由はペットボトルが飲料水の保存に多く使われている、此の条件価を活用したものである。
イ、容器としても安価で消費者に届けることが出来る。
ロ、水道局より配布された水を消費者が喜んで飲用することを目的とした。
【図面の簡単な説明】
【００１４】
【図１】この考案の目的は新品ペットボトルの改良で水道水の保存容器作成。
【図２】同じく新品ペットボトルの底部を切り抜いて取り出した底部。
【図３】同じく新品ペットボトルの底部に取り付けるセラミックス合体。
【図４】同じく新品ペットボトルの中にセラミックスを収めて仕上げた商品。
【符号の説明】
【００１５】１〜〜新品ペットボトルの改良前の容器
２〜〜新品ペットボトルの改良に着始し、ペットボトルの底部を切り抜いた跡
３〜〜新品ペットボトル改良の最終仕上げに接合剤を塗る場所
４〜〜新品ペットボトルの底部の中心に小穴を開ける
５〜〜新品ペットボトルの底部
６〜〜新品ペットボトルの中心が高くなっている場所
７〜〜セラミックス穴開きメタル
８〜〜同じくセラミックスの穴開きメタル
９〜〜セラミックスが動かないように固定するネジ
１０〜〜セラミックスに小穴が開いている状態
１１〜〜セラミックス混合状態を一つ円筒容器に入れた状態、
１２〜〜新品ペットボトルに最終に固定化していく状態
１３〜〜７〜に示した通りセラミックスの穴開きメタル
１４〜〜８〜に示した通り同じくセラミックスメタル
１５〜〜ペットボトルの底部を接合剤で動かぬように固定した跡
１６〜〜ペットボトル底部が盛り上がっている箇所
１７〜〜１１〜示した通りセラミックスの混合状態
１８〜〜９〜に示した通りセラミックスが動かないようにネジで固定した
【手続補正３】
【補正対象書類名】図面
【補正対象項目名】全図
【補正方法】変更
【補正の内容】
【図１】
0003167463.tif 000015
【図２】
0003167463.tif 000016
【図３】
0003167463.tif 000017
【図４】
0003167463.tif 000018